(57)【要約】【課題】  透視防止と不正開封防止の２つの役割をもつ用紙を提供すること。【解決手段】一方側部に接着剤が塗布されている面を有し、  一方側部とは反対側の他方側部に剥離剤が塗布されている面を有し，  一方側部と他方側部との間で一方側部の側に、地紋が印刷されている面を有し、  当該地紋が印刷されている面と当該剥離剤が塗布されている面との間に、地紋が印刷され、再接着可能な粘着剤が塗布されている面と強粘着剤が塗布されている面とを有し、  当該地紋が印刷され、再接着可能な粘着剤が塗布されている面は当該地紋が印刷されている面の側にあり、  当該強粘着剤が塗布されている面は当該剥離剤が塗布されている面の側に有り、  当該強粘着剤が塗布されている面と、当該地紋が印刷され、再接着可能な粘着剤が塗布されている面との間にミシン目が設けられていること。  【選択図】  図１
2007118565.tif 000002
【特許請求の範囲】
【請求項１】
用紙であって、当該用紙は、
一方側部に接着剤が塗布されている面（１）を有し、
一方側部とは反対側の他方側部に剥離剤が塗布されている面（４）を有し，
一方側部と他方側部との間で一方側部の側に、地紋が印刷されている面（２）を有し、
当該地紋が印刷されている面（２）と当該剥離剤が塗布されている面（４）との間に、地紋が印刷され、再接着可能な粘着剤が塗布されている面（３）と強粘着剤が塗布されている面（５）とを有し、
当該地紋が印刷され、再接着可能な粘着剤が塗布されている面（３）は当該地紋が印刷されている面（２）の側にあり、
当該強粘着剤が塗布されている面（５）は当該剥離剤が塗布されている面（４）の側に有り、
当該強粘着剤が塗布されている面（５）と、当該地紋が印刷され、再接着可能な粘着剤が塗布されている面（３）との間にミシン目（６）が設けられていることを特徴とする透視及び不正開封防止用の用紙。
【請求項２】
前記地紋が印刷されている面（２）と、地紋が印刷され、再接着可能な粘着剤が塗布されている面（３）との間にミシン目（２０）を有することを特徴とする請求項１に記載の透視及び不正開封防止用の用紙。
【請求項３】
用紙であって、当該用紙は、
一方側部に接着剤が塗布されている面（１２）を有し、
一方側部とは反対側の他方側部に剥離剤が塗布されている面（１５）を有し，
一方側部と他方側部との間で一方側部の側に、地紋が印刷されている面（１３）を有し、
一方側部と他方側部の間であって他方側部の側に地紋が印刷され、再接着可能な粘着剤が塗布されている面（１４）を有し、
当該接着剤が塗布されている面（１２）と当該地紋が印刷されている面（１３）との間に、間隔を置いて切り込み（１６）が設けられている面（１７）と色彩を施した面（１８）を有し、
当該間隔を置いて切り込み（１６）が設けられている面（１７）は当該接着剤が塗布されている面（１２）の側にあり、
当該色彩を施した面（１８）は当該地紋が印刷されている面（１３）の側にあり、
当該地紋が印刷され、再接着可能な粘着剤が塗布されている面（１４）と当該剥離剤が塗布されている面（１５）との間に強粘着剤が塗布されている面（２１）を有し、
当該強粘着剤が塗布されている面（２１）は、当該地紋が印刷され、再接着可能な粘着剤が塗布されている面（１４）との間にミシン目（２２）が設けられていることを特徴とする透視及び不正開封防止用の用紙。
【請求項４】
前記地紋が印刷されている面（１３）と、地紋が印刷され、再接着可能な粘着剤が塗布されている面（１４）との間にミシン目（２４）が設けられていることを特徴とする請求項３記載の透視及び不正開封防止用の用紙。
【発明の詳細な説明】
【技術分野】
【０００１】
本発明は、透視の機能及び不正開封防止機能を併せ持つ用紙に関する。
【背景技術】
【０００２】
従来、はがき等に個人の住所、氏名、電話番号、性別、年令、等の個人情報等を記載して送信先に送信する場合、個人情報を送信先以外の第三者に見られないように当該個人情報を記載した欄に再接着可能な糊を塗布した用紙を粘着したりすることが行われていた。
【０００３】
また、はがき本体に秘匿したい箇所を秘匿する秘匿シール部が設けられ、はがきの秘匿したい箇所を手間をかけずに簡単に出来る技術がある（例えば、特許文献１参照。）。
【０００４】
しかし、前記のようにはがきに記載された個人の住所、氏名、電話番号等、及びアンケート用紙、質問に対する解答用紙等に記載された個人情報、秘匿したい事項等を関係者以外の第三者に見られたくない場合に当該個人情報、及び秘匿したい事項等を隠すために当該事項の上に用紙を貼着する場合があるが、この場合、用紙を粘着した表面からみた場合は確かに個人情報、及び秘匿したい事項等は見えないのであるが、裏面から見た場合は透けて見えてしまい、せっかく秘匿したのに秘匿したことにならない、という問題点があった。
そのため、はがき、アンケート用紙、解答用紙等の用紙に記載された個人情報、秘匿したい情報、事項等を秘匿用紙を接着した表面からだけでなく裏面からもみえないように完全に秘匿するため、用紙が重なる相対する面に透視防止用部（地紋）が設けられ、かつ接着剤が塗布されている不透明圧着はがきがある（例えば特許文献２参照。）。
【０００５】
【特許文献１】登録実用新案第３１０８４２９号（［０００５］，［０００６］）
【特許文献２】登録実用新案第３０９８１３７号（［０００２］，［０００６］）
【発明の開示】
【発明が解決しようとする課題】
【０００６】
しかし、透視防止用部（地紋）が設けられ、かつ表からも裏からも見えないようにしても、用紙、たとえばはがきの角の部分から上手に剥がして個人情報が記載されている部分をみて、その後で、また上手に貼着して内を見たのを分からないようにしておく、という場合があり、このような場合、どうするかという問題点があった。
【０００７】
そこで、本発明の目的は、一枚の用紙が一体的に形成され、表からも裏からも個人情報等の記載内容を見ることが出来ないこと、また第三者が用紙の一部を剥がして個人情報を見た後元に戻したとしても、破った形跡が残って分かってしまうこと、という透視防止と不正開封防止の２つの役割をもつ用紙を提供することである。
【課題を解決するための手段】
【０００８】
前記目的を達成するため、本発明の透視及び不正開封防止用の用紙は、
用紙であって、当該用紙は、
一方側部に接着剤が塗布されている面を有し、
一方側部とは反対側の他方側部に剥離剤が塗布されている面を有し，
一方側部と他方側部との間で一方側部の側に、地紋が印刷されている面を有し、
当該地紋が印刷されている面と当該剥離剤が塗布されている面との間に、地紋が印刷され、再接着可能な粘着剤が塗布されている面と強粘着剤が塗布されている面とを有し、
当該地紋が印刷され、再接着可能な粘着剤が塗布されている面は当該地紋が印刷されている面の側にあり、
当該強粘着剤が塗布されている面は当該剥離剤が塗布されている面の側に有り、
当該強粘着剤が塗布されている面と、当該地紋が印刷され、再接着可能な粘着剤が塗布されている面との間にミシン目が設けられていることからなる。
【０００９】
又、前記地紋が印刷されている面と、地紋が印刷され、再接着可能な粘着剤が塗布されている面との間にミシン目を有することが好適である。
【００１０】
さらに、本発明の透視及び不正開封防止用の用紙は、  
用紙であって、当該用紙は、
一方側部に接着剤が塗布されている面を有し、
一方側部とは反対側の他方側部に剥離剤が塗布されている面を有し，
一方側部と他方側部との間で一方側部の側に、地紋が印刷されている面を有し、
一方側部と他方側部の間であって他方側部の側に地紋が印刷され、再接着可能な粘着剤が塗布されている面を有し、
当該接着剤が塗布されている面と当該地紋が印刷されている面との間に、間隔を置いて切り込みが設けられている面と色彩を施した面を有し、
当該間隔を置いて切り込みが設けられている面は当該接着剤が塗布されている面の側にあり、
当該色彩を施した面は当該地紋が印刷されている面の側にあり、
当該地紋が印刷され、再接着可能な粘着剤が塗布されている面と当該剥離剤が塗布されている面との間に強粘着剤が塗布されている面を有し、
当該強粘着剤が塗布されている面は、当該地紋が印刷され、再接着可能な粘着剤が塗布されている面との間にミシン目が設けられていることからなる。
【００１１】
又、前記地紋が印刷されている面と、地紋が印刷され、再接着可能な粘着剤が塗布されている面との間にミシン目が設けられていることが好適である。
【００１２】
なお、本発明において、接着剤とは二枚の用紙を糊等で接着した後に剥がすことができない性質を持ったものをいう。強粘着剤とは剥がし強度が1.5kg/インチ（1インチ剥がすのに1.5kg以上の力が必要であること。）以上のものをいい、粘着性が強く、上の紙を剥がそうとすると、下の紙の上側及びその周囲が破れてしまう強度の粘着剤をいい、図１６にこの状態が示されている。粘着剤とは剥がし強度が0.7kg/インチ以下のものをいい、いったん接着しても下の紙を破損することなく上部の紙を剥がすことが出来るものをいう。
【発明の効果】
【００１３】
本発明は前記構成を有するので、
請求項１、２の発明は、
個人情報が記載されている箇所を透かしてみようとしても透かして見ることが出来ず、透かして見ることが出来ないならば剥がしてみてやろうとした場合、ミシン目に沿って剥がすことになるが、剥がした後元に戻そうとしても剥がした跡が明確に分かってしまう、という二重ロック機能の効果を有するものである。
【００１４】
また、請求項３，４の発明は、個人情報等が記載されている箇所を透かして見ることが出来ず、透かして見ることが出来ないならば剥がして中を見てやろうとした場合、角から剥がすことになるのが通例であるが、角から剥がす場合、その第三者は切り込み部分を含めた場所を剥がしていくことになる。しかし、その際当該切り込み部分は強粘着剤により貼着されているため、無理に剥がすと、切り込み部分に囲まれた部分が上の紙に付く形で破れてしまうものであり、そのため再度粘着させ元に戻すことは出来ず、剥がした跡がはっきりわかってしまうことになり、さらに切り込みの下にある面に色彩が付されているので、切り込みの入っている面が破れてめくれると色彩が現れ不正開封された、という事実が明確に分かってしまう、という三重のロック機能の効果を有するものである。
【００１５】
このように本発明は、中をみようとする第三者が見ようとする手段をほぼ完全に防止し、さらに中をみようとする意識をも失わせるという効果を生じさせるものである。
【発明を実施するための最良の形態】
【００１６】
以下、本発明の実施の形態の例を図面にしたがって説明する。
【００１７】
図１〜９は本発明の実施の形態１を示すものであり、図１０〜１６は実施の形態２を示すものである。
本図面では本発明の透視及び不正開封防止用の用紙としてはがきを例として説明する。
【００１８】
図１は本発明のはがきを開いた状態を示す図である。一方側に接着剤（接着した後、剥がすことが出来ない性質のものをいう。）が塗布されている面１を有し、一方側とは反対の他方側に剥離剤が塗布されている面４を有し、一方側と他方側の間であって、一方側の方に地紋が印刷されている面２を有し、他方側の方に地紋が印刷され、再接着可能な粘着剤（剥がし強度が0.7kg/インチ以下のものをいう。）が塗布されている面３を有し、地紋が印刷され、再接着可能な粘着剤が塗布されている面３と剥離剤が塗布されている面４との間に強粘着剤（剥がし強度が1.5kg/インチ以上のものをいう。）が塗布されている面５を有し、その強粘着剤が塗布されている面５は、地紋が印刷され、再接着可能な粘着剤が塗布されている面３との間にミシン目６が設けられている。
又地紋が印刷され、再接着可能な粘着剤が塗布されている面３と地紋が印刷されている面２との間にミシン目２０が設けられている。この地紋により中が透けて見えないものである。
【００１９】
図２は一方側及び他方側から本発明のはがきを折ろうとしている状態を示す図であり、図３は図２の状態から折って接着及び貼着した状態を示す図である。
接着剤が塗布されている面１を地紋が印刷されている面２の方に折り重ね接着し、さらに剥離剤が塗布されている面４を、地紋が印刷され、再接着可能な粘着剤が塗布されている面３の方に折り重ねて貼着する。
この場合において、剥離剤が塗布されている面４と強粘着剤が塗布されている面５との間７を断裁する。
はがきの差出人は図３の状態で本発明のはがきを入手するものである。
【００２０】
図４は剥離剤が塗布されている面を剥がそうとしている状態を示す図であり、図５は剥離剤が塗布されている面を剥がして、地紋が印刷され、再接着可能な粘着剤が塗布されている面を接着剤が塗布されている面の上面の方に折ろうとする状態を示す図である。図６は地紋が印刷され、再接着可能な粘着剤が塗布されている面を接着剤が塗布されている面の上面に貼着した状態を示す図である。
【００２１】
はがきの差出人は図３の状態で、はがきを入手したあと、たとえば、住所、氏名、連絡先、クレジット番号等の個人情報を記載し、開く箇所を示す部分８から剥離剤が塗布されている面４を開いて剥がし、かつ地紋が印刷され、再接着可能な粘着剤が塗布されている面３を矢印の方向に折り、接着剤が塗布されている面１の上面、即ち前記個人情報が記載されている面に折り重ね図６に示すように貼着する。
【００２２】
図７は開く箇所を示す部分から、地紋が印刷され再接着可能な粘着剤が塗布されている面を剥がそうとしている状態を示す図である。開く箇所を示す部分９から、地紋が印刷され再接着可能な粘着剤が塗布されている面３を開いていくと、ミシン目６に沿ってその面３が開きミシン目６の部分が破れていくことになる。  又、ミシン目２０は、はがきを受取る担当者がその面３を切り取っていくためのものであるが、第三者がミシン目２０の側からその面３を剥がそうとした場合でも、ミシン目２０の部分が破れていくことになる。
したがって、はがきを受取る担当者以外の関係のない第三者が破って元に戻したとしてもミシン目６の部分に破った形跡が残ってしまい、誰かが見たことが分かってしまう。そこで、関係のない第三者の不正開封を防止することが出来るものである。
【００２３】
図８は強粘着剤が塗布されている面が、地紋が印刷され、再接着可能な粘着剤が塗布されている面の上部に設けられていることを示す図である。
強粘着剤が塗布されている面５が地紋が印刷され、再接着可能な粘着剤が塗布されている面３の上部に設けられていることに伴い、その面５の下部にミシン目１０が設けられていることを示している。
【００２４】
図９は強粘着剤が塗布されている面が、地紋が印刷され、再接着可能な粘着剤が塗布されている面の上部及び下部に設けられていることを示す図である。
強粘着剤が塗布されている面５が地紋が印刷され、再接着可能な粘着剤が塗布されている面３の上部及び下部に設けられていることに伴い、その面５の上部の下部にミシン目１０が、その面５の下部の上部にミシン目１１が設けられていることを示している。
【００２５】
図示していないが、図９に示すように強粘着剤が塗布されている面５が下部にのみ設けられている場合もある。
【００２６】
図１０は本発明のはがきを開いた状態を示す図である。
一方側に接着剤が塗布されている面１２を有し、一方側とは反対の他方側に剥離剤が塗布されている面１５を有し、一方側と他方側の間であって、一方側の方に地紋が印刷されている面１３を有し、他方側の方に地紋が印刷され、再接着可能な粘着剤が塗布されている面１４を有している。
【００２７】
接着剤が塗布されている面１２と地紋が印刷されている面１３との間には間隔をおいて多数の、上部に逆Ｕ字型、下部にＵ字型の切り込み１６（この切り込みの型はＵ字型だけでなくＶ字型等でも良い。）が設けられている面１７と色彩が施された面１８とを有する。
【００２８】
地紋が印刷されている面１３の上部１９は空白部分となっており地紋が印刷されていないがこの空白部分となっている部分は接着した場合に個人情報保護の記載箇所に当たらないから地紋が印刷されていないのであるが都合により地紋を印刷しても構わないものである。
【００２９】
地紋が印刷されている面１３と地紋が印刷され、再接着可能な粘着剤が塗布されている面１４との間にはミシン目２４が設けられている。このミシン目２４は、地紋が印刷され、再接着可能な粘着剤が塗布されている面１４をはがきを受取る担当者が切り取っていくためのものであるが、第三者がミシン目２４の側からその面１４を剥がそうとした場合でも、ミシン目２４の部分が破れるので、第三者が不正開封したことが分かってしまう役割をもするものである。。
【００３０】
地紋が印刷され、再接着可能な粘着剤が塗布されている面１４と剥離剤が塗布されている面１５との間に強粘着剤が塗布されている面２１を有し、その面２１と地紋が印刷され、再接着可能な粘着剤が塗布されている面１４との間にはミシン目２２が設けられている。
【００３１】
図１１は一方側及び他方側から本発明のはがきを折ろうとしている状態を示す図であり、図１２は図１１の状態から折って接着及び貼着した状態を示す図である。
【００３２】
接着剤が塗布されている面１２を地紋が印刷されている面１３の方へ折り重ね接着し、さらに剥離剤が塗布されている面１５を地紋が印刷され、再接着可能な粘着剤が塗布されている面１４の方へ折り重ねて貼着する。
この場合において、剥離剤が塗布されている面１５と強粘着剤が塗布されている面２１との間２３を断裁する。
はがきの差出人は図１２の状態で本発明のはがきを入手するものである。
【００３３】
図１３は剥離剤が塗布されている面を剥がそうとしている状態を示す図であり、図１４は剥離剤が塗布されている面を剥がし、かつ地紋が印刷され、再接着可能な粘着剤が塗布されている面を接着剤が塗布されている面の上面に貼着した状態を示す図である。
【００３４】
はがきの差出人は図１２の状態ではがきを入手したあと、たとえば、住所、氏名、連絡先、クレジット番号等の個人情報を記載し、開く箇所を示す部分２５から剥離剤が塗布されている面１５を開いてその剥離剤が塗布されている面１５を剥がし、かつ地紋が印刷され、再接着可能な粘着剤が塗布されている面１４を折って、接着剤が塗布されている面１２の上面、即ち前記個人情報が記載されている面に折り重ね、貼着する。
【００３５】
図１５は開く箇所を示す部分から地紋が印刷され、再接着可能な粘着剤が塗布されている面を開いていく状態を示している図面である。図１６は関係のない第三者が強粘着剤が塗布されている面の下の角からその面を開いていく状態を示す図である。
【００３６】
はがきを受取る担当者は図１５に示すように地紋が印刷され、再接着可能な粘着剤が塗布されている面１４を開く箇所を示す部分２６から開いていく。
【００３７】
しかし、関係のない第三者が個人情報が記載されている部分を見ようとして、地紋が印刷され、再接着可能な粘着剤が塗布されている面１４を開く箇所を示す部分２６から、はがきを受取る担当者が開くように開いていくとミシン目２１が破れ、元に戻したとしてもミシン目２１の部分に破った形跡が残ってしまい誰かが見たことが分かってしまう。
【００３８】
そこで、関係のない第三者は、強粘着剤が塗布されている面２１の右下の角から開こうとする場合がある。その面２１の右下の角から開くと、逆Ｕ字型及びＵ字型の切り込み１６が強粘着剤によりその面２１の裏側に引張られ、破れて、ひっついてしまう。この場合、逆Ｕ字型及びＵ字型の切り込み１６の部分のみがひっついていくだけでなく切り込み１６の周囲の紙も薄く破れてしまう。破れてひっついた部分２７及び破れた後が残っている部分２８が図１６に示されているが、切り込み１６が設けられている面１７と貼着している色彩を施されている面１８は、切り込み１６の部分が破れて強粘着剤が塗布されている面２１にひっついた場合、色彩が見えるようになり、開いたことが明確に分かるようになる。
【００３９】
さらに、開いた部分を元に戻しても、地紋が印刷され、再接着可能な粘着剤が塗布されている面１４及び強粘着剤が塗布されている面２１が浮き上がったりして凸凹の状態になり、関係のない第三者が開いたことがすぐに分かってしまう。
【００４０】
図示していないが地紋が印刷されている面２，１３の地紋が印刷されている面とは反対側の裏面にはがきの受取人の住所、名称、担当の係等が記載されている。
なお、図中の空白の部分は広告、及び注意書き等を必要に応じて記載することが出来る。
【図面の簡単な説明】
【００４１】
【図１】本発明のはがきを開いた状態を示す図である。
【図２】一方側及び他方側から本発明のはがきを折ろうとしている状態を示す図である。
【図３】図２の状態から折って接着及び貼着した状態を示す図である。
【図４】剥離剤が塗布されている面を剥がそうとしている状態を示す図である。
【図５】剥離剤が塗布されている面を剥がして、地紋が印刷され、再接着可能な粘着剤が塗布されている面を接着剤が塗布されている面の上面の方に折ろうとする状態を示す図である。
【図６】地紋が印刷され、再接着可能な粘着剤が塗布されている面を接着剤が塗布されている面の上面に貼着した状態を示す図である。
【図７】開く箇所を示す部分から、地紋が印刷され、再接着可能な粘着剤が塗布されている面を剥がそうとしている状態を示す図である。
【図８】強粘着剤が塗布されている面が、地紋が印刷され、再接着可能な粘着剤が塗布されている面の上部に設けられていることを示す図である。
【図９】強粘着剤が塗布されている面が、地紋が印刷され、再接着可能な粘着剤が塗布されている面の上部及び下部に設けられていることを示す図である。
【図１０】本発明のはがきを開いた状態を示す図である。
【図１１】一方側及び他方側から本発明のはがきを折ろうとしている状態を示す図である。
【図１２】図１１の状態から折って接着及び貼着した状態を示す図である。
【図１３】剥離剤が塗布されている面を剥がそうとしている状態を示す図である。
【図１４】剥離剤が塗布されている面を剥がし、かつ地紋が印刷され、再接着可能な粘着剤が塗布されている面を接着剤が塗布されている面の上面に貼着した状態を示す図である。
【図１５】開く箇所を示す部分から地紋が印刷され、再接着可能な粘着剤が塗布されている面を開いていく状態を示している図面である。
【図１６】関係のない第三者が強粘着剤が塗布されている面の下の角からその面を開いていく状態を示す図である。
【符号の説明】
【００４２】
１，１２  接着剤が塗布されている面
２，１３  地紋が印刷されている面
３，１４  地紋が印刷され、再接着可能な粘着剤が塗布されている面
４，１５  剥離剤が塗布されている面
５，２１  強粘着剤が塗布されている面
６，１０，１１，２０，２２，２４  ミシン目
７，２３  断裁部分
８，９，２５，２６  開く箇所を示す部分
１６  切り込み
１７  切り込みが設けられている面
１８  色彩が施された面
１９  地紋が印刷されている面の上部
２７  破れてひっついた部分
２８  破れた後が残っている部分
【図１】
2007118565.tif 000003
【図２】
2007118565.tif 000004
【図３】
2007118565.tif 000005
【図４】
2007118565.tif 000006
【図５】
2007118565.tif 000007
【図６】
2007118565.tif 000008
【図７】
2007118565.tif 000009
【図８】
2007118565.tif 000010
【図９】
2007118565.tif 000011
【図１０】
2007118565.tif 000012
【図１１】
2007118565.tif 000013
【図１２】
2007118565.tif 000014
【図１３】
2007118565.tif 000015
【図１４】
2007118565.tif 000016
【図１５】
2007118565.tif 000017
【図１６】
2007118565.tif 000018